(57)【要約】【課題】写真画像に合成された文字情報を抽出して、合成された文字情報を補正して明瞭な文字印刷を実現する。【解決手段】デジタルカメラの撮影画像情報に合成される日時などの文字画像情報が、が旺盛されているかいないかの識別情報を画像ファイル内にもち、この識別情報により文字画像情報の抽出を画像情報殻行い、文字画像情報を見やすい情報に変換処理指定印刷データとする。【選択図】        図１
2004336465.tif 000002
【特許請求の範囲】
【請求項１】
画像情報ファイルを印刷の入力情報として印刷する印刷装置であって、
前記情報ファイル中に画像情報の付帯情報を有し、
前記付帯情報中に文字情報が画像情報中に合成されている情報をもち、
前記付帯情報中の文字情報合成情報により、合成されている文字の位置情報を判定し、
文字の位置情報から文字画像情報を抽出し、前記文字画像情報を印刷情報に変換する際に、最適な印刷結果になるように処理することを特徴とした印刷処理装置。
【請求項２】
画像情報ファイルを印刷の入力情報として印刷する印刷装置であって、
前記情報ファイル中に画像情報の付帯情報を有し、
前記付帯情報中に文字情報が画像情報中に合成されている情報をもち、
前記付帯情報中の文字情報合成情報により、合成されている文字の位置情報を判定し、
文字の位置情報から文字画像情報を抽出し、前記文字画像情報を印刷情報に変換する際に、最適な印刷結果になるように処理することを特徴とした印刷処理装置において、
印刷画像の確認用の表示手段を有し、この表示手段に文字画像情報の処理内容を選択することを特徴とする印刷処理情報装置。
【発明の詳細な説明】
【０００１】
【発明の属する技術分野】
ＪＰＥＧ画像など符号化された自然画像データで、符号化する画像に文字を合成し符号化を行う技術に関し、この文字が合成された画像を印刷する際に、合成された文字を画像と区別して最適な処理を行い、印刷を行う方式に関する。
【０００２】
【従来の技術】
デジタルカメラなどの電子情報機器では、撮影した日時の情報を撮影した画像に合成することは、一般的な機能として利用されている。このデジタルカメラで合成される文字情報は、合成する個所の背景情報とは関係なく、メーカーの初期設定あるいは使用者の設定状態で合成される。この合成画像は、保存・転送する情報量を削減するため、ＪＰＥＧなどの符号化方式により、圧縮される。
【０００３】
前記デジタルカメラで処理された画像情報は、ＤＰＯＦやＤＣＩＦなどのデータフォーマットにより、管理されている。
【０００４】
圧縮された画像データを復元し、復元後の画像をＴＶ画面への表示、印刷など、画像情報を電子化して利用している。
【０００５】
この電子化された画像データを印刷する際、デジタルカメラで合成された日付などの文字情報は、合成画像情報として画像データと同様の処理が行われる。
【０００６】
画像情報内の文字情報を認識する手段として、特開平９−１８６８６１で開示される空間周波数の成分の違いから、まず文字領域を検出しこの領域から文字を識別していくことが一般的である。
【０００７】
画像情報から文字画像を抽出して、文字情報に関しては文字情報用の補正を行い、画像情報に関しては画像情報用の補正を行い、画像・文字情報の品質を低下させずに印刷を行う手段の一例が、特開２０００−１８４２１９に開示されている。
【０００８】
【発明が解決しようとする課題】
画像情報に合成された日付などの文字情報を印刷する際に、デジタルカメラで文字を合成する際に、背景の情報とは関係なく合成するため、この背景色が文字情報の色と近い場合があり、文字情報がわかりにくく印刷されることがある。
【０００９】
文字情報を明確に印刷する場合、背景の画像情報から文字情報を抽出して補正をかけ印刷処理を行う。この一連の処理に関して、前記特開平９−１８６８６１および特開２０００−１８４２１９に記載されている技術を応用して実現することが考えられる。
【００１０】
上記技術は、文字がすでに存在している画像情報から文字が存在する個所を見つけ出すのに、文字情報特有の性格を利用して、文字情報を抽出している。写真としてとられた画像に文字情報を合成されたときには、この文字情報特有の性格を利用することが困難である。また、画像全体をブロック化し文字領域の確認を行うのに、この全体の画像情報を符号化されている状態から解凍して抽出処理のために保存する必要がある。この場合は画像全体を記憶する専用のメモリーが必要になり、小型な装置への適用に適していない。さらには、抽出処理にかかる負荷も大きい。
【００１１】
【課題を解決するための手段】
画像情報ファイルを印刷の入力情報として印刷する印刷装置であって、前記情報ファイル中に画像情報の付帯情報を有し、前記付帯情報中に文字情報が画像情報中に合成されている情報をもち、前記付帯情報中の文字情報合成情報により、合成されている文字の位置情報を判定し、文字の位置情報から文字情報を抽出し、前記文字情報を印刷情報に変換する際に、最適な印刷結果になるように処理することを特徴とした印刷処理装置、を提供することにより、画像への付帯情報として画像に自動的に合成された文字情報が識別しにくい状態のときに、識別しやすく。
【００１２】
【発明の実施の形態】
図１に本発明の処理構成を、図３に処理のフローを示す。
【００１３】
ＪＰＥＧなどの符号化された画像情報と前記画像情報の付帯情報からなる図２に示すデータ構成の画像ファイルを読み込み、付帯情報により画像情報の処理を行う。
【００１４】
ファイルに記憶されている画像情報は符号化されており、図１に示すように符号化された画像情報を複号化、逆量子を行い各ブロックの空間周波数成分を得る。
【００１５】
付帯情報に画像上に文字情報が合成されていることが明示されているときは、処理する画像情報がデジタルカメラで作成されているものであることから、文字情報の合成されているブロックを特定して、特定されたブロックに関して、逆ＤＣＴ変換を行い文字情報の抽出処理を行う。
【００１６】
一方、文字画像情報の合成されていない画像情報ブロックに関しては、逆ＤＣＴ変換を行い印刷用の画像データとして準備を行う。
【００１７】
文字情報の抽出が行われた文字画像情報が合成されているブロックに関しては、抽出された文字情報を印刷時に最適な文字印刷情報に処理する。この合成された文字情報を含むブロック内で、抽出され印刷用に処理された文字印刷情報を、画像情報と再合成し、このブロックの印刷情報とする。
【００１８】
最終の印刷用の情報は、上記文字画像情報を含まない画像情報ブロックと、文字画像情報を含むブロックにより構成される。
【００１９】
文字画像情報の抽出方法としては、文字画像情報が含まれている画像ブロックに対して、エッジ抽出処理により文字情報として認識する方法が一般的である。背景画像が文字画像情報と類似しており、エッジが抽出できない場合は、画像ファイル内に存在する他の撮影日時情報から、パターンを類推し、パターンマッチングにより、文字画像情報が含まれるブロック内の文字画像情報領域を抽出する。
【００２０】
文字情報に施す処理の例を図４（Ｂ）で明示する。図４（Ａ）は、画像ファイル内の画像情報であり、右辺部に文字画像情報が合成されている。合成されている文字画像情報の色が背景画面と近いため、認識しにくい。このような場合に図４（Ｂ）のように文字画像情報部の色のみを変更し、他の画像情報から認識しやすくすること可能とする処理を行う。他の方法としては、図５に示すように文字画像上に対してふちをつけて文字を強調し認識しやすくする。
【００２１】
印刷処理装置に、印刷情報を画面表示により確認する手段を有しているときは、文字画像情報の加工内容を画面表示することにより、使用者がその処理を選択して、最適化を実施することを可能とする。
【００２２】
（実施例）
図６に本発明に関する装置の構成例を示す。
【００２３】
本例においては、画像ファイル入力部６１は、ＰＣＭＣＩＡ／コンパクトフラッシュ（登録商標）などの記憶メディアから画像ファイル情報を入力する装置もしくは、外部と接続されるＵＳＢ／パラレルなどのインターフェース機能により構成される。
【００２４】
画像ファイル入力部６１は、ＣＰＵ６２の制御部６４により制御され、ＲＡＭ６５に画像ファイルデータを保存する。この画像ファイルデータをＣＰＵ６２の演算部６３で、文字画像情報の抽出処理・加工処理を行い、他のブロックの印刷用に展開されたデータと結合し、印刷部６６で、印刷処理を行う。
【００２５】
（他の実施例）
図７に本発明に関する他の装置の構成例を示す。
【００２６】
本例においては、第１の実施例に対して、画像表示部を設け、あわせて表示された画像に対する操作を指示する操作部を設ける。
【００２７】
画像表示部７１は、液晶などの小型表示装置を装置内に組み込むタイプと、ビデオのようにＴＶにビデオ信号を出力するタイプのどちらかもしくは両方から構成される。
【００２８】
画像表示部７１には、図８に示す表示例のように文字画像情報を変更した結果を表示し、その結果がよければ印刷処理に移行する。この移行のために、操作部７２で移行操作の入力を行う。
【００２９】
文字画像情報の処理内容を選択させる画面を表示することで、色の変更を行う・文字形状の変更を行う・変更の種類などを選択可能とする。
【００３０】
【発明の効果】
デジタルカメラで合成される日時などの文字画像情報に関して、文字画像情報似関連する情報を有する画像ファイルを提供することにより、文字画像情報の認識を簡易化・容易化することにより、印刷時に必要となる合成文字画像情報の認識性をよくすることにある。
【図面の簡単な説明】
【図１】処理の構成
【図２】データ構成例
【図３】フローチャート
【図４】文字画像情報の処理例
【図５】他の文字画像情報の処理例
【図６】ブロック図
【図７】他のブロック図
【図８】画像表示例
【符号の説明】
１  画像ファイル入力
２  圧縮画像複号化
３  逆量子化
４  画像逆ＤＣＴ変換
５  合成
６  印刷用画像情報
７  付帯情報検索
８  文字制御ブロック内の文字情報抽出
９  文字情報の最適化処理
６１  画像ファイル入力部
６２  ＣＰＵ
６３  演算部
６４  制御部
６５  ＲＡＭ
６６  印刷部
【図１】
2004336465.tif 000003
【図２】
2004336465.tif 000004
【図３】
2004336465.tif 000005
【図４】
2004336465.tif 000006
【図５】
2004336465.tif 000007
【図６】
2004336465.tif 000008
【図７】
2004336465.tif 000009
【図８】
2004336465.tif 000010